(57)【要約】【課題】  ルームランプなどの室内灯を所定時間経過したときに自動消灯する機能を設ける場合、スイッチ等の状態の検出を行なわずに自動消灯させようとすると、室内灯の点灯状態に関係なく、所定時間が経過するまでタイマ回路が動作する。そのため、無駄な電力を消費してしまうという問題があった。【解決手段】  本発明の室内灯制御装置は、室内灯を制御する室内灯制御装置であって、  前記室内灯を所定の信号にて変調し、前記所定の信号を検出することにより前記室内灯の点灯を判別し、前記室内灯制御装置と対応づけられた所定の機器が停止後に、前記判別した時点から一定時間後に前記室内灯を消灯する。【選択図】      図１
2012045964.tif 000002
【特許請求の範囲】
【請求項１】
室内灯を制御する室内灯制御装置であって、
前記室内灯を所定の信号にて変調し、前記所定の信号を検出することにより前記室内灯の点灯を判別し、
前記室内灯制御装置と対応づけられた所定の機器が停止後に、前記判別した時点から一定時間後に前記室内灯を消灯する
ことを特徴とする室内灯制御装置。
【請求項２】
室内灯を制御する室内灯制御装置であって、
前記室内灯を所定の信号にて変調する変調部と、
上記室内灯からの照明光を受光し電気信号に変換する受光素子と、
前記電気信号を復調する復調部と、
前記変調部にて復調した信号を検出することにより前記室内灯の点灯を判別する判別部と、
を有し、
前記室内灯制御装置と対応づけられた所定の機器が停止後に、前記判別した時点から一定時間後に前記室内灯を消灯する
ことを特徴とする室内灯制御装置。
【請求項３】
複数の室内灯を互いに異なる信号にて変調し、
前記変調部は前記異なる信号を検出することにより、前記複数の室内灯の何れかが点灯したことを判別し、
前記複数の室内灯毎に、前記判別した時点から一定時間後に対応する前記室内灯を消灯する
ことを特徴とする請求項２記載の室内灯制御装置。
【請求項４】
前記室内灯はＬＥＤ光源であることを特徴とする請求項１乃至請求項３何れかに記載の室内灯制御装置。
【請求項５】
室内灯を制御する室内灯制御方法であって、
前記室内灯を所定の信号にて変調し、前記所定の信号を検出することにより前記室内灯の点灯を判別し、前記室内灯制御装置と対応づけられた所定の機器が停止後に、前記判別した時点から一定時間後に前記室内灯を消灯する
ことを特徴とする室内灯制御方法。
【請求項６】
室内灯を制御する室内灯制御方法であって、
前記室内灯を所定の信号にて変調する変調工程と、
上記室内灯からの照明光を受光し電気信号に変換する受光工程と、
前記電気信号を復調する復調工程と、
前記変調工程にて復調した信号を検出することにより前記室内灯の点灯を判別する判別工程と、
を有し
前記室内灯制御装置と対応づけられた所定の機器が停止後に、前記判別した時点から一定時間後に前記室内灯を消灯する
ことを特徴とする室内灯制御方法。
【請求項７】
複数の室内灯を互いに異なる信号にて変調し、
前記変調工程は前記異なる信号を検出することにより、前記複数の室内灯の何れかが点灯したことを判別し、
前記複数の室内灯毎に、前記判別した時点から一定時間後に対応する前記室内灯を消灯する
ことを特徴とする請求項６記載の室内灯制御方法。
【請求項８】
前記室内灯はＬＥＤ光源であることを特徴とする請求項５乃至請求項７何れかに記載の室内灯制御方法。
【請求項９】
室内灯を制御する室内灯制御プログラムであって、
前記室内灯を所定の信号にて変調するステップと、
前記所定の信号を検出することにより前記室内灯の点灯を判別し、
前記室内灯制御プログラムと対応づけられた所定の機器が停止後に、前記判別した時点から一定時間後に前記室内灯を消灯するステップと、
をコンピュータに実行させることを特徴とする室内灯制御プログラム。
【請求項１０】
室内灯を制御する室内灯制御プログラムであって、
前記室内灯を所定の信号にて変調する変調ステップと、
上記室内灯からの照明光を受光し電気信号に変換する受光ステップと、
前記電気信号を復調する復調ステップと、
前記変調ステップにて復調した信号を検出することにより前記室内灯の点灯を判別する判別ステップと、
前記室内灯制御プログラムと対応づけられた所定の機器が停止後に、前記判別した時点から一定時間後に前記室内灯を消灯するステップと
をコンピュータに実行させることを特徴とする室内灯制御プログラム。
【発明の詳細な説明】
【技術分野】
【０００１】
本発明は室内灯制御装置に関する。
【背景技術】
【０００２】
室内灯制御装置としては、車両のドアの開閉操作に連動して車室内のルームランプやマップランプなどの室内灯の点灯と消灯を行うように制御しているものがある。例えば、ドア開時に室内灯を点灯し、ドア閉時には所定の遅延時間経過後に室内灯を消灯するようにして、乗車後や降車後の使い勝手を向上する機能を有する車両が実用化されている。
【０００３】
また、ルームランプなどの室内灯を消し忘れても、車両のエンジンスイッチがオフの位置で所定時間経過したときに自動消灯する機能を有する車両が実用化されている。
【０００４】
また下記特許文献２には、エンジンが停止している状態でヘッドランプあるいはスモールランプを消灯せずに降車しようとしてドアを開けると、タイマが動作し、所定時間の経過後に自動的に消灯することにより、バッテリの過放電等を防止する技術が記載されている。
【０００５】
一方、近年、特に発光ダイオード（ＬＥＤ：Light Emitting Diode）を使用した発光素子から発光する可視光を利用した可視光通信技術の開発が推進されている。可視光であるので、例えば家庭やオフィスの照明器等に応用できる。特許文献２には道路交通用の信号機の光源として発光ダイオードを利用し、それを高速で点滅させることで、各種情報を伝送する技術が記載されている。
【先行技術文献】
【特許文献】
【０００６】
【特許文献１】特開平１０‐０９５２７５号公報
【特許文献２】特許第３３９１２０４号公報
【発明の概要】
【発明が解決しようとする課題】
【０００７】
しかしながら、上述の特許文献１の室内灯制御装置においては、以下で説明するような課題がある。
【０００８】
特許文献１の図１を参照すると制御回路から複数のスイッチが接続されている。これはルームランプのスイッチ、ドア開閉を検出するスイッチ等である。これらのスイッチは、例えばルームランプの点灯及び消灯を制御するものであると共に、タイマの動作開始の条件を検出するためのものである。しかし、ルームランプ自体の点灯を行う為のハーネス（配線）とは別に、スイッチから制御回路までのハーネスが必要となり、その分のコスト増や車両重量増に繋がる。
【０００９】
これらのスイッチ等の状態の検出を行なわずにエンジンスイッチがオフの位置で所定時間経過後に室内灯を自動消灯させる場合、室内灯の点灯状態に関係なく、所定時間が経過するまでタイマ回路が動作するため、無駄な電力を消費してしまうという問題もある。
【００１０】
照度センサ等で直接室内灯の点灯状態を検出する手段も考えられるが、自動車等の場合照度センサの設置場所等に制約が有る場合も多い。そのため単純に照度センサを用いて明るさを検出する場合、室内灯の光と外光との区別がつかず、室内灯の点灯状態を検出することが困難で、昼間等に車外からの光で誤動作してしまう恐れもある。
【００１１】
特許文献２は交通信号機を用いたものであり、室内灯制御装置の上記不具合を解決する技術ではない。
【００１２】
本発明の目的は、上述した課題のいずれかを解決する室内灯制御装置を提供することである。
【課題を解決するための手段】
【００１３】
本発明の室内灯制御装置は、
室内灯を制御する室内灯制御装置であって、
前記室内灯を所定の信号にて変調し、前記所定の信号を検出することにより前記室内灯の点灯を判別し、
前記室内灯制御装置と対応づけられた所定の機器が停止後に、前記判別した時点から一定時間後に前記室内灯を消灯する。
【００１４】
また、本発明の室内灯制御方法は、室内灯を制御する室内灯制御方法であって、
前記室内灯を所定の信号にて変調し、前記所定の信号を検出することにより前記室内灯の点灯を判別し、前記室内灯制御装置と対応づけられた所定の機器が停止後に、前記判別した時点から一定時間後に前記室内灯を消灯する。
【００１５】
また、本発明のプログラムは、室内灯を制御する室内灯制御プログラムであって、
前記室内灯を所定の信号にて変調するステップと、
前記所定の信号を検出することにより前記室内灯の点灯を判別し、
前記室内灯制御プログラムと対応づけられた所定の機器が停止後に、前記判別した時点から一定時間後に前記室内灯を消灯するステップと、
をコンピュータに実行させる。
【発明の効果】
【００１６】
以上説明したように、本発明においては、以下に記載するような効果を奏する。車室内に外光が差し込む状況でも、室内灯の状態を検出でき、各室内灯にスイッチの状態を検出するためのハーネスを追加することなく、室内灯の点灯時点を検出できる。そのため室内灯の供給電源を点灯時点から一定時間後に自動切断でき、バッテリの過放電を防止できる。
【図面の簡単な説明】
【００１７】
【図１】本発明の第１の実施形態における室内灯制御装置を示す構成図である。
【図２】本発明の第１の実施形態における室内灯制御装置の動作のフローチャートである。
【図３】本発明の第２の実施形態における室内灯制御装置を示す構成図である。
【図４】本発明の第３の実施形態における室内灯制御装置を示す構成図である。
【発明を実施するための形態】
【００１８】
（第１の実施形態）
本発明の第１の実施形態の室内灯制御装置の構成について、図１を参照して説明する。
図１を参照すると、本発明の第１の実施形態としての室内灯制御装置１０が示されている。
【００１９】
バッテリ電源線１１は、バッテリ２６に接続された正側の電源ラインである。また、車体接地部１２は、バッテリ２６に接続された負側の電源ラインである。
【００２０】
ドア連動型ＬＥＤ室内灯１４は、ドア連動型室内灯ポジションスイッチ１７によってオン／オフする車室内に配置される室内照明である。また、ドア非連動型ＬＥＤ室内灯１５は、ドア非連動型室内灯ポジションスイッチ１８によってオン／オフする車室内に配置される室内照明である。電流制限抵抗１６は、ドア連動型ＬＥＤ室内灯１４およびドア非連動型ＬＥＤ室内灯１５の電流を制限する抵抗である。また、ドア開閉検出スイッチ１９は、車両のドアの開閉を検出するスイッチである。なおこれらのスイッチは、回路的にＬＥＤ室内灯の回路に直列に挿入されて単に回路を断続するものである。従って、スイッチの状態を室内灯制御装置１０で検出する必要はなく、無駄なハーネス引き回しは生じない。
【００２１】
マイコン２０はタイマ機能を有しており、変調部２１へのデータ送信、復調部２４からのデータ受信、ＬＥＤ駆動部２２への室内灯消灯信号送信およびユーザ指定時間設定スイッチ２５からの信号を受信する機能を有する。
【００２２】
変調部２１は、マイコンからの可視光通信用送信データを変調する機能を有する。
【００２３】
２２はＬＥＤ駆動部であり、バッテリ電源線１１より供給される電源を、変調部２１からの信号を受け、ドア連動型LED室内灯１４とドア非連動型ＬＥＤ室内灯１５を高速にパルス駆動する電圧に変換することにより、ＬＥＤ室内灯に変調を行う。同時に、ＬＥＤ駆動部２２はＬＥＤ電源線１３を通じて、ドア連動型ＬＥＤ室内灯１４およびドア非連動型ＬＥＤ室内灯１５に供給する機能を有する。また、ＬＥＤ駆動部２２はマイコン２０から室内灯消灯信号を受けたときにＬＥＤ電源線１３を切断する機能と、バッテリ電源線１１が変動した際にも定電流駆動を実現する機能を有している。
【００２４】
フォトディテクタ２３は、室内灯照明からの可視光送信データを電気信号に変換する機能を有する。復調部２４は、フォトディテクタ２３から出力される電気信号を復調する機能を有する。ユーザ指定時間設定スイッチ２５は、室内灯の点灯状態を検出してから自動消灯するまでの時間をユーザが選択するためのスイッチである。
【００２５】
次に本発明の第１の実施形態の動作について、図１を参照して説明する。
【００２６】
まずユーザ指定時間設定スイッチ２５において、エンジンが停止された後、室内灯の点灯状態を確認してから室内灯を消灯するまでの時間を、ユーザが指定する。マイコン２０は、室内灯の点灯状態が確認されてからユーザが指定した時間が経過したことを内部タイマで判定後、ＬＥＤ駆動部２２に室内灯消灯信号を出力し、ＬＥＤ駆動部２２はＬＥＤ電源線１３の出力を切断することで、バッテリ２６の過放電を保護する。
【００２７】
また、マイコン２０は、エンジンが停止された後、ドア連動型ＬＥＤ室内灯１４およびドア非連動型ＬＥＤ室内灯１５で可視光通信を行うべく、室内灯が点灯状態であることを通知するための信号を変調部２１に出力する。変調部２１はマイコン２０から出力された信号に応じて室内灯をパルス駆動するための信号をＬＥＤ駆動部２２に出力する。なお変調方式は情報を伝達できるものであれば任意であり、変調する方法としてパルス駆動に限られるものではない。また、伝達する情報は、本実施形態においては、他の信号、即ち外部照明や車内外の光リモコンの信号、自然光等との判別が付くものであれば任意のデータで良い。
【００２８】
フォトディテクタ２３は、ドア連動型ＬＥＤ室内灯１４またはドア非連動型ＬＥＤ室内灯１５から出力された可視光データを電気信号に変換し復調部２４に信号を出力し、復調された信号をマイコン２０に出力し、室内灯の点灯有無をマイコン２０が判別する。その際、室内灯の点灯状態を示すデータが受信された場合は、室内灯が点灯状態であると、また、点灯状態を示すデータが受信されない場合は、室内灯が消灯状態であると判断する。
【００２９】
次に本発明の第１の実施形態の室内灯制御装置の動作について図２に示すフローチャートを使用して説明する。
【００３０】
本フローは、エンジンを停止したことがマイコン２０に通知されたときに開始される（Ｓ１０）。
【００３１】
ドア連動型ＬＥＤ室内灯１４でドア連動型室内灯ポジションスイッチ１７がＤＯＯＲの位置の場合（Ｓ１１：Ｙｅｓ）、まずドアの開閉状態を判定する（Ｓ１２）。全てのドアが閉であることが検出された場合、ドア連動型ＬＥＤ室内灯１４を規定の残照時間(例えば１５秒)点灯させた後、室内灯を消灯する（Ｓ１５）。規定の残照時間が経過する前にドアロックを検出した場合（Ｓ１４：Ｙｅｓ）、規定の残照時間の経過を待たずに、室内灯を消灯する（Ｓ１５）。室内灯を消灯した後、Ｓ１６にて室内灯制御装置をオフして、本フローは終了となる。
【００３２】
ドア非連動型ＬＥＤ室内灯１５でドア非連動型室内灯ポジションスイッチ１８がＯＮの位置の場合(Ｓ１１：Ｎｏ)はドア非連動型ＬＥＤ室内灯１５から可視光通信信号が送信される。また、ドア連動型ＬＥＤ室内灯１４において、室内灯のポジションスイッチがＯＮ位置の場合やＯＦＦの位置の場合やＤＯＯＲの位置の場合でドアが開や半ドア状態の場合（Ｓ１２：Ｎｏ）にもＬＥＤ室内灯から可視光通信信号が送信される（Ｓ１７）。
【００３３】
フォトディテクタ２３において、ＬＥＤ室内灯からの可視光通信信号を受信し、マイコン２０で室内灯の点灯が確認された場合（Ｓ１８：Ｙｅｓ）は次のように動作する。即ちユーザ指定時間設定スイッチ２５でユーザが指定した時間が経過した後、マイコン２０から室内灯消灯信号がＬＥＤ駆動部２２に伝えられ、ＬＥＤ電源線１３が切断され、室内灯を消灯する（Ｓ１５）。室内灯を消灯した後、Ｓ１６にて室内灯制御装置をオフして、本フローは終了となる。
【００３４】
フォトディテクタ２３において、可視光通信信号が受信されず、マイコン２０で室内灯の点灯が確認されなかった場合（Ｓ１８：Ｎｏ）、各室内灯は消灯状態のため、Ｓ１６にて室内灯制御装置をオフして、本フローは終了となる。
【００３５】
以上説明したように、本実施形態においては、以下に記載するような効果を奏する。
【００３６】
室内灯のポジションスイッチがＯＮの場合や、ＤＯＯＲのポジションかつ半ドアの状態など、室内灯のポジションスイッチの設定に拘わらず、エンジンを停止してから指定時間経過後に室内灯の供給電源を自動切断できる。従って、本実施形態ではバッテリの過放電を防止できる。可視光通信信号を検出することにより室内灯の点灯状態を検出しているからである。
【００３７】
また、エンジンを停止してから室内灯の消灯状態を検出でき次第タイマ回路をオフとすることができる。従って無駄な電力消費を防止できる。
【００３８】
また、可視光の送受信によって室内灯の点灯／消灯状態を検出しているので、車室内に外光が差し込む状況でも、室内灯の状態を検出できる。
【００３９】
また、全室内灯に共通の電源供給ハーネスのみで可視光送信が実現できるので、可視光通信用に別途追加のハーネスを準備する必要がない。従って、車室内の室内灯が増加に伴うハーネスの追加設置を最小限とすることができ、その分のコスト増や車両重量増を抑えつつ自動消灯制御を実現できる。
（第２の実施形態）
次に、本発明の第２の実施形態について説明する。
【００４０】
本発明の第２の実施形態として、その基本的構成は第１の実施形態と同様であるが、室内灯の点灯状態の検出についてさらに工夫している。その構成を図３に示す。本実施形態では、ＬＥＤ電源線１３ａおよびＬＥＤ電源線１３ｂは室内灯毎に分離していると共に、室内灯毎に変調されるデータが異なっている。従って、復調した可視光通信信号を判別することにより、どの室内灯が点灯しているかを区別することができる。
【００４１】
本実施例では、どの室内灯が点灯しているかを判別しているので、室内灯毎に異なるタイミングで点灯が行われた場合でも、室内灯毎に独立してタイマ制御を行うことができ、無駄な電力消費を防止出来る。
（第３の実施形態）
次に、本発明を実施するための第３の実施形態について説明する。
【００４２】
図４は本発明の第３の実施形態の室内灯制御装置である。
室内灯制御装置４０１は、室内灯を所定の信号にて変調し、前記所定の信号を検出することにより前記室内灯の点灯を判別し、前記室内灯の点灯を前記判別した時から一定時間後に前記室内灯を消灯する。
【００４３】
これによって、室内灯の供給電源を点灯時点から一定時間後に自動切断でき、バッテリの過放電を防止できる。
【００４４】
なお、ここまで説明した各実施の形態では、専用の装置を想定したが、次のようなものでもよい。即ち例えば各種データ処理を行うパーソナルコンピュータ装置に、本例に相当する処理を行うボードやカードなどを装着し、各処理を、コンピュータ装置側で実行させる。このようにして、その処理を実行するソフトウェアをパーソナルコンピュータ装置に実装させて実行する構成としても良い。
【００４５】
そのパーソナルコンピュータ装置などのデータ処理装置に実装されるプログラムについては、光ディスク，メモリカードなどの各種記録（記憶）媒体を介して配付しても良く、或いはインターネットなどの通信手段を介して配付しても良い。
【００４６】
以上に述べた実施形態の一部又は全部は、以下の付記のようにも記載されうるが、以下には限られない。
（付記１）
室内灯を制御する室内灯制御装置であって、
前記室内灯を所定の信号にて変調し、前記所定の信号を検出することにより前記室内灯の点灯を判別し、
前記室内灯制御装置と対応づけられた所定の機器が停止後に、前記判別した時点から一定時間後に前記室内灯を消灯する
ことを特徴とする室内灯制御装置。
（付記２）
室内灯を制御する室内灯制御装置であって、
前記室内灯を所定の信号にて変調する変調部と、
上記室内灯からの照明光を受光し電気信号に変換する受光素子と、
前記電気信号を復調する復調部と、
前記変調部にて復調した信号を検出することにより前記室内灯の点灯を判別する判別部と、
を有し、
前記室内灯制御装置と対応づけられた所定の機器が停止後に、前記判別した時点から一定時間後に前記室内灯を消灯する
ことを特徴とする室内灯制御装置。
（付記３）
複数の室内灯を互いに異なる信号にて変調し、
前記変調部は前記異なる信号を検出することにより、前記複数の室内灯の何れかが点灯したことを判別し、
前記複数の室内灯毎に、前記判別した時点から一定時間後に対応する前記室内灯を消灯する
ことを特徴とする付記２記載の室内灯制御装置。
（付記４）
前記室内灯はＬＥＤ光源であることを特徴とする付記１乃至付記３何れかに記載の室内灯制御装置。
（付記５）
室内灯を制御する室内灯制御方法であって、
前記室内灯を所定の信号にて変調し、前記所定の信号を検出することにより前記室内灯の点灯を判別し、前記室内灯制御装置と対応づけられた所定の機器が停止後に、前記判別した時点から一定時間後に前記室内灯を消灯する
ことを特徴とする室内灯制御方法。
（付記６）
室内灯を制御する室内灯制御方法であって、
前記室内灯を所定の信号にて変調する変調工程と、
上記室内灯からの照明光を受光し電気信号に変換する受光工程と、
前記電気信号を復調する復調工程と、
前記変調工程にて復調した信号を検出することにより前記室内灯の点灯を判別する判別工程と、
を有し
前記室内灯制御装置と対応づけられた所定の機器が停止後に、前記判別した時点から一定時間後に前記室内灯を消灯する
ことを特徴とする室内灯制御方法。
（付記７）
複数の室内灯を互いに異なる信号にて変調し、
前記変調工程は前記異なる信号を検出することにより、前記複数の室内灯の何れかが点灯したことを判別し、
前記複数の室内灯毎に、前記判別した時点から一定時間後に対応する前記室内灯を消灯する
ことを特徴とする付記６記載の室内灯制御方法。
（付記８）
前記室内灯はＬＥＤ光源であることを特徴とする付記５乃至付記７何れかに記載の室内灯制御方法。
（付記９）
室内灯を制御する室内灯制御プログラムであって、
前記室内灯を所定の信号にて変調するステップと、
前記所定の信号を検出することにより前記室内灯の点灯を判別し、
前記室内灯制御プログラムと対応づけられた所定の機器が停止後に、前記判別した時点から一定時間後に前記室内灯を消灯するステップと、
をコンピュータに実行させることを特徴とする室内灯制御プログラム。
（付記１０）
室内灯を制御する室内灯制御プログラムであって、
前記室内灯を所定の信号にて変調する変調ステップと、
上記室内灯からの照明光を受光し電気信号に変換する受光ステップと、
前記電気信号を復調する復調ステップと、
前記変調ステップにて復調した信号を検出することにより前記室内灯の点灯を判別する判別ステップと、
前記室内灯制御プログラムと対応づけられた所定の機器が停止後に、前記判別した時点から一定時間後に前記室内灯を消灯するステップと
をコンピュータに実行させることを特徴とする室内灯制御プログラム。
（付記１１）
複数の室内灯を互いに異なる信号にて変調するステップと、
前記変調ステップは前記異なる信号を検出することにより、前記複数の室内灯の何れかが点灯したことを判別するステップと、
前記複数の室内灯毎に、前記判別した時点から一定時間後に対応する前記室内灯を消灯するステップと
をコンピュータに実行させることを特徴とする付記１０記載の室内灯制御プログラム。
【符号の説明】
【００４７】
１０    室内灯制御装置
１１    バッテリ電源線
１３    ＬＥＤ電源線
１４    ドア連動型ＬＥＤ室内灯
１５    ドア非連動型ＬＥＤ室内灯
１７    ドア連動型室内灯ポジションスイッチ
１８    ドア非連動型室内灯ポジションスイッチ
１９    ドア開閉検出スイッチ
２５    ユーザ指定時間設定スイッチ
２６    バッテリ
【図１】
2012045964.tif 000003
【図２】
2012045964.tif 000004
【図３】
2012045964.tif 000005
【図４】
2012045964.tif 000006